(57)【要約】【課題】コンテンツの不正視聴を防ぐ放送受信装置及びその制御方法を提供すること。【解決手段】デジタル放送受信装置１００は、Ｂ−ＣＡＳカード１１５を利用した課金認証方式を採用する。コンテンツ管理部１０７は、放送番組を録画する際にＢ−ＣＡＳカード１１５のカードＩＤを放送番組に関連付けて蓄積部１１１に記憶することでカードＩＤとコンテンツＩＤを管理する。コンテンツ再生制御部１１２は、蓄積部１１１に記憶されたコンテンツを再生する際、該コンテンツに関連付けて記憶されたカードＩＤと、装置に挿入されているＢ−ＣＡＳカードのカードＩＤが等しいか否かを判定する。録画時と再生時でカードＩＤが異なる場合、コンテンツ再生制御部１１２はコンテンツの再生を禁止又は制限する。【選択図】図１
2011239054.tif 000002
【特許請求の範囲】
【請求項１】
着脱自在な記憶媒体を用いたユーザ認証に基づいて、受信したコンテンツの再生動作を制御する放送受信装置であって、
前記記憶媒体の識別情報を取得する認識手段と、
受信したコンテンツのデータを記憶する蓄積手段と、
前記コンテンツを受信した時に前記認識手段が取得した第１の識別情報と、前記蓄積手段に記憶された前記コンテンツを再生する際に前記認識手段が取得した第２の識別情報とが等しい場合に前記コンテンツの再生を行い、前記第１の識別情報と前記第２の識別情報とが相違する場合に前記コンテンツの再生を禁止し又は制限する再生制御手段と、を備えることを特徴とする放送受信装置。
【請求項２】
前記第１の識別情報を前記コンテンツの識別情報に関連付けて管理するコンテンツ管理手段をさらに備え、
前記再生制御手段は、前記蓄積手段に記憶された前記コンテンツを再生する際に、前記コンテンツ管理手段が前記コンテンツの識別情報に関連付けて管理している前記第１の識別情報と、前記第２の識別情報とが等しいか否かを判定することを特徴とする、請求項１記載の放送受信装置。
【請求項３】
ネットワークを介して認証サーバとの接続処理を行う通信手段をさらに備え、
前記通信手段が前記コンテンツの識別情報と前記第１の識別情報を前記認証サーバに送信し、前記認証サーバから前記コンテンツの視聴を許可するためのライセンス情報を受信した場合、前記再生制御手段は前記第１の識別情報と前記第２の識別情報とが等しいか否かを判定することを特徴とする、請求項２記載の放送受信装置。
【請求項４】
着脱自在な記憶媒体を用いたユーザ認証に基づいて、受信したコンテンツの再生動作を制御する放送受信装置で実行される制御方法であって、
前記コンテンツを受信した時に前記記憶媒体に係る第１の識別情報を取得する認識ステップと、
受信した前記コンテンツのデータを記憶する蓄積ステップと、
前記蓄積ステップで記憶した前記コンテンツを再生する際に前記記憶媒体に係る第２の識別情報を取得する認識ステップと、
前記第１の識別情報と前記第２の識別情報とが等しいか否かを判定する判定ステップと、
前記判定ステップにて前記第１の識別情報と前記第２の識別情報とが等しいと判定された場合に前記コンテンツの再生を行い、前記第１の識別情報と前記第２の識別情報とが相違すると判定された場合に前記コンテンツの再生を禁止し又は制限する再生制御ステップを、有することを特徴とする放送受信装置の制御方法。
【発明の詳細な説明】
【技術分野】
【０００１】
本発明は、ユーザ認証処理を行う放送受信装置及びその制御方法に関するものである。
【背景技術】
【０００２】
従来、パーソナルコンピュータ等の情報端末を用いてネットワーク経由で行う、音楽や映像などのコンテンツ配信やストリーミング再生のサービスがある。有料コンテンツの視聴には課金処理と視聴ライセンスの購入が必要であり、認証サーバによるユーザＩＤとパスワードの発行や、氏名、住所、課金方法等のユーザ情報の入力及び送信を要する。ユーザがコンテンツを購入すると、認証サーバはユーザＩＤと購入コンテンツを関連付けて登録し、コンテンツの視聴要求を受けて要求元のユーザが視聴ライセンスを購入済みであると判定した場合にコンテンツを端末に配信する。配信サービスにおいて有料コンテンツを不正に視聴できないように防止する技術が知られている。特許文献１に示す映像レンタル配信サービスの課金認証技術ではサーバが端末装置毎の固有の情報を管理することで、複数の端末装置への配信を制限し、不正視聴を防止する。特許文献２に示すシステムでは認証サーバがユーザＩＤだけでなく、端末情報であるメーカー名、型番、製造番号等を元にした端末ＩＤと、コンテンツを識別するコンテンツＩＤをデータベースで管理する。認証サーバは、登録済みのユーザＩＤをもつユーザが使用する、端末ＩＤを有する端末にコンテンツを配信する。
【０００３】
ところで電波産業会（ＡＲＩＢ）では高度ＢＳデジタル放送システムの検討が進められており、提案されている高速ダウンロードサービスでは、ユーザが課金方式で予約した放送番組をダウンロード（録画）して視聴する。以下、放送波を介して放送受信装置の蓄積手段に録画することを、ダウンロードと呼ぶ。高速ダウンロードサービスでは、通常の放送とは別に割り当てた専用帯域を使い、編成スケジュールに沿ってコンテンツを配信する。このため、視聴番組の予約により、指定時間に所望のコンテンツがダウンロードされる。ダウンロードで蓄積したコンテンツをユーザが視聴する場合、ネットワークを介した課金処理が必要である。認証サーバは、視聴要求に対して課金済みであるユーザを認証して視聴ライセンスを発行する。
【０００４】
デジタル放送受信装置でユーザ情報を元にしたユーザＩＤを用いる場合、情報端末に比べてデータ入力の操作環境が充分でないこと等のためにユーザ情報の登録の煩わしさが課題となる。またユーザが家庭内の任意のデジタル放送受信装置でコンテンツを視聴する場合のライセンス譲渡の困難さが課題として挙げられる。そこで、デジタル放送受信装置に備わっている記憶媒体を用いたユーザ認証が考えられる。例えばＢ−ＣＡＳカード（Ｂ−ＣＡＳ社が発行する接触式ＩＣカード）の場合、ＡＲＩＢとＢ−ＣＡＳ社に認証された放送受信装置に同梱して配布され、該装置に挿入して使用される。カードのＩＣチップ内には固有のＩＤ番号と暗号鍵が格納されており、これらの情報を用いて地上・ＢＳデジタル放送のデスクランブルが行われる。デジタル放送受信装置を用いた有料コンテンツの購入では、Ｂ−ＣＡＳカードのＩＤ番号を用いたユーザ認証が可能となるため、新たなユーザ登録の必要が無い。また、認証サーバはＢ−ＣＡＳカードの登録情報から、使用装置が購入済みの放送受信装置と同一家庭内の装置であることを判定できる。ユーザは家庭内の任意の放送受信装置で、購入済みコンテンツを容易に視聴できる。このようにＢ−ＣＡＳカードＩＤを用いた課金認証は、ユーザ登録や家庭内での視聴ライセンス共有が容易である。
【０００５】
Ｂ−ＣＡＳカードを用いた課金認証処理では、ユーザがダウンロード済みのコンテンツから購入して視聴したいコンテンツを選択する。放送受信装置は、挿入されているカードＩＤを取得し、該カードＩＤとコンテンツＩＤを認証サーバに送信し、購入処理を行う。認証サーバは、カードＩＤとコンテンツＩＤを購入済みとして登録し、その後、視聴要求（カードＩＤとコンテンツＩＤ）を受信する。購入済みの登録がなされている場合、認証サーバは視聴ライセンスを要求元装置に送信し、ユーザはコンテンツ視聴が可能となる。購入済みの登録がなされていない場合、認証サーバは要求元装置に視聴ライセンスを送信しない（購入エラーのメッセージを送信する）。課金認証サーバが管理する情報は、ダウンロードしたコンテンツＩＤと、購入済みのＢ−ＣＡＳカードＩＤとを関連付けた情報である。課金認証サーバは管理情報に基づいて視聴ライセンスを放送受信装置に送信する。
【先行技術文献】
【特許文献】
【０００６】
【特許文献１】特開２００２−３４４９３０号公報
【特許文献２】特開２００４−２５２９６６号公報
【発明の概要】
【発明が解決しようとする課題】
【０００７】
しかしながら、従来の方法ではコンテンツを未購入のユーザでも不正にコンテンツの視聴が可能となってしまうという課題がある。例えば、コンテンツ購入済みで登録されたＢ−ＣＡＳカードを所持するユーザから、紛失や貸与等により該カードが購入者でない第三者に渡り、任意のデジタル放送受信装置に挿入して使用される場合が挙げられる。
そこで本発明は、コンテンツの不正視聴を防ぐ放送受信装置及びその制御方法の提供を目的とする。
【課題を解決するための手段】
【０００８】
上記課題を解決するために、本発明に係る放送受信装置は、着脱自在な記憶媒体を用いたユーザ認証に基づいて、受信したコンテンツの再生動作を制御する放送受信装置であって、前記記憶媒体の識別情報を取得する認識手段と、受信したコンテンツのデータを記憶する蓄積手段と、前記コンテンツを受信した時に前記認識手段が取得した第１の識別情報と、前記蓄積手段に記憶された前記コンテンツを再生する際に前記認識手段が取得した第２の識別情報とが等しい場合に前記コンテンツの再生を行い、前記第１の識別情報と前記第２の識別情報とが相違する場合に前記コンテンツの再生を禁止し又は制限する再生制御手段と、を備える。
【発明の効果】
【０００９】
本発明によれば、記憶媒体を用いてユーザ認証を行う放送受信装置において、コンテンツの不正視聴を防止できる。
【図面の簡単な説明】
【００１０】
【図１】本発明の一実施形態に係る放送受信装置の構成例を示すブロック図である。
【図２】図１のコンテンツ管理部が保持する情報を（Ａ）に例示し、蓄積部が保持するコンテンツのメタデータ情報を（Ｂ）に例示した図である。
【図３】コンテンツのダウンロード処理例を示すフローチャートである。
【図４】コンテンツの再生処理例を示すフローチャートである。
【発明を実施するための形態】
【００１１】
図１は、本発明の一実施形態に係るデジタル放送受信装置の構成例を示すブロック図である。デジタル放送受信装置１００では、着脱自在なカード型記憶媒体をユーザ認証に利用した課金認証方式を採用するが、本発明は各種の記憶媒体を用いてユーザ認証が可能な装置に適用できる。
【００１２】
アンテナで受信した信号は、チューナ部１０１に入力される。チューナ部１０１は入力信号に対して復調や誤り訂正等の処理を施し、トランスポートストリーム（ＴＳ）またはＴＬＶ（Ｔｙｐｅ  Ｌｅｎｇｔｈ  Ｖａｌｕｅ）ストリームと呼ばれる形式のデジタルデータを生成する。ここで、ＴＬＶストリームとは、高速ダウンロードサービスにおいて想定されている可変長パケットで構成されるストリームであり、ＴＳのように固定長ではないため、高い伝送効率が期待される。チューナ部１０１は生成したデータをデスクランブラ１０２に出力し、ここでスクランブル解除が行われる。視聴制限のためのスクランブルがかけられているＴＬＶストリームまたはＴＳのデータがチューナ部１０１から入力されると、デスクランブラ１０２は、データに含まれるデスクランブル用の鍵情報を取得する。デスクランブラ１０２はまた、ＩＣカード制御部１１０より出力されるＢ−ＣＡＳカード１１５に含まれる鍵情報を取得する。これらの鍵情報を用いてスクランブル解除されたデータは、デマックス（デマルチプレクサ）１０３に出力される。
【００１３】
ＩＣカード制御部１１０は、Ｂ−ＣＡＳカードのようなＩＣカードに記憶された識別情報を取得することでユーザの認識処理を行う。カードのＩＣチップにはユーザの契約情報、及びＴＬＶまたはＴＳデータに含まれるデスクランブルのための鍵情報を解く鍵情報が格納されている。ＩＣカード制御部１１０は、ＩＣチップ内にデスクランブルのための鍵情報を解く鍵情報が記憶されていた場合、その鍵情報をデスクランブラ１０２に出力する。なおデスクランブラ１０２は、チューナ部１０１からスクランブルがかかっていないＴＬＶやＴＳデータが入力された場合には、ＴＬＶやＴＳデータをそのままデマックス１０３に出力する。
【００１４】
デマックス１０３は、ユーザ操作によって選択されたコンテンツに対応するパケットを抽出する。抽出されたパケット内のデータは、映像データ、音声データ、データ放送のデータ、番組表（ＥＰＧ）情報、制御情報に分離される。分離された映像データと音声データはデコーダ１０４に送られて復号化される。ダウンロードコンテンツ、つまり放送波の受信後に記録されるコンテンツの場合、デマックス１０３は、ユーザが指定したコンテンツに対応するＴＬＶパケットを抽出し、データを蓄積部１１１へ蓄積する。デコーダ１０４は、デマックス１０３が抽出した映像データや音声データ、蓄積部１１１が記憶しているダウンロードコンテンツのデータを復号化して表示部１０５に出力する。
【００１５】
ダウンロードコンテンツのデータ等を蓄積する蓄積部１１１は、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等の内蔵デバイスが使用され、あるいは外付けの記憶装置が使用可能である。表示部１０５は、デコーダ１０４から送られてきた映像データを変換して映像表示を行い、音声データを変換して不図示のスピーカ等から音声出力する。
【００１６】
通信部１０６はネットワークを介して認証サーバ２００等の外部装置との接続処理を行うインターフェース部である。通信部１０６は、ユーザの視聴要求の際に、Ｂ−ＣＡＳカード１１５に含まれるＢ−ＣＡＳカードＩＤ（以下、単に「カードＩＤ」という）をネットワーク上の課金認証サーバに対して送信し、有料ダウンロードコンテンツの視聴ライセンスを該サーバから受信する。視聴ライセンスはコンテンツの視聴を正規ユーザに許可するためのライセンス情報を含む。
【００１７】
コンテンツ管理部１０７は、カードＩＤをＩＣカード制御部１１０から取得する。Ｂ−ＣＡＳカード１１５はダウンロード開始時に、不図示のカードスロットに挿入され、ＩＣカード制御部１１０はカードＩＤを読み取ってコンテンツ管理部１０７に送信する。コンテンツ管理部１０７は、カードＩＤに対して新たなコンテンツＩＤを割り当てて管理する。ただし、ダウンロードコンテンツに対してコンテンツ配信事業者が予めコンテンツを識別するＩＤを割り当てている場合には、コンテンツ管理部１０７にてそのＩＤを用いても構わない。
【００１８】
図２（Ａ）は、コンテンツ管理部１０７が管理するコンテンツＩＤと、コンテンツのダウンロード時に挿入されたＢ−ＣＡＳカードのカードＩＤを例示する。
さらに、コンテンツ管理部１０７は、蓄積部１１１に記憶したコンテンツのメタデータ情報に対して、前記のように割り当てたコンテンツＩＤを付与し、カードＩＤと関連付ける。図２（Ｂ）は、蓄積部１１１に記憶されたコンテンツのメタデータ情報を例示する。メタデータは、ダウンロードコンテンツの番組タイトルであるコンテンツ名、コンテンツを識別するコンテンツＩＤ、ダウンロード日時を示す録画日時、再生時間、番組情報等を含む。
【００１９】
制御部１０８は、バスラインに接続された装置各部を制御し、選局制御、録画制御、ユーザ操作に基づく映像や音声の調整制御を行う。また制御部１０８は不図示のメモリに記憶したプログラムを解釈して後述のフローチャートに従う各種の処理を実行する。
リモートコントローラ（以下、リモコンと略称する）１１４はユーザが使用する遠隔操作装置であり、各種操作キーを備えており、デジタル放送受信装置１００に対して、ダウンロード予約の設定等、各種操作に用いる。リモコンＩＦ（インターフェース）部１０９はリモコン１１４から、例えば赤外線信号を受光して光電変換する受光部を備え、ユーザの操作指示を制御部１０８に伝える。
【００２０】
コンテンツ再生制御部１１２は、ダウンロードコンテンツを再生する際、コンテンツ管理部１０７が管理しているダウンロード時のカードＩＤと、再生時点でデジタル放送受信装置１００に挿入されているＢ−ＣＡＳカード１１５のカードＩＤを比較する。コンテンツ再生制御部１１２は、これらのカードＩＤが等しいと判定した場合、蓄積部１１１からコンテンツデータを読み出して再生し、またカードＩＤが相違する場合、再生処理を行わないか又は再生を停止させるように制御する。予約管理部１１３は、リモコン１１４等を用いたユーザ操作により指定されたダウンロードコンテンツの予約情報を管理する。ダウンロード予約情報は、放送日時、チャンネル番号、番組タイトル等を含む。
【００２１】
図３は、デジタル放送受信装置１００におけるダウンロード処理を例示するフローチャートであり、本処理は制御部１０８が実行するプログラムに従って実現される。
まず、Ｓ１０にて制御部１０８は、予約管理部１１３が管理しているダウンロード予約情報に基づいて、ダウンロードが必要であるか否かを判定する。予約されたダウンロードコンテンツがある場合にはＳ１１に進み、ダウンロードが必要でないと判定され場合にはＳ１０の処理を繰り返す。
【００２２】
Ｓ１１にてＩＣカード制御部１１０は、不図示のスロットに挿入されているＢ−ＣＡＳカード１１５のカードＩＤを取得する。Ｓ１２にてコンテンツ管理部１０７は、新たにコンテンツを識別するためのコンテンツＩＤを生成し、これを前記Ｓ１１で取得したカードＩＤと関連付けて蓄積部１１１に記憶する（図２（Ａ）参照）。
Ｓ１３では、予約管理部１１３が管理しているダウンロード予約情報に基づき、チューナ部１０１がダウンロードコンテンツを受信する。Ｓ１４にてコンテンツ管理部１０７は、前記Ｓ１２で生成したコンテンツＩＤを、ダウンロードコンテンツのメタデータに付与し（図２（Ｂ）参照）、これらのデータを蓄積部１１１が蓄積する。Ｓ１５にてデマックス１０３は、受信した放送ダウンロードデータにおいて、ユーザ操作により選択されたコンテンツに対応するパケットのデータを抽出する。ここで、高速ダウンロードサービスにおいては、可変パケット長による伝送効率の向上からＴＬＶのデマックス処理が行われる。Ｓ１６において、前記Ｓ１２でコンテンツ管理部１０７が生成したコンテンツＩＤと関連付けて、蓄積部１１１にダウンロードコンテンツが蓄積され、Ｂ−ＣＡＳカード１１５との関連付け処理が完了する。
【００２３】
図４は、デジタル放送受信装置１００におけるダウンロードコンテンツの再生制御処理を例示するフローチャートであり、本処理は制御部１０８が実行するプログラムに従って実現される。
Ｓ２０にてＩＣカード制御部１１０は、デジタル放送受信装置１００に挿入されているＢ−ＣＡＳカード１１５のカードＩＤを取得する。Ｓ２１で通信部１０６はネットワークを介してダウンロードコンテンツの認証サーバ２００にアクセスする。通信部１０６は前記Ｓ２０で取得したカードＩＤ、および視聴対象のコンテンツＩＤを認証サーバ２００に送信し、視聴に必要なライセンスの取得要求を行う。Ｓ２２で制御部１０８は、通信部１０６を通じて視聴ライセンスを取得したか否かについて判定する。視聴ライセンスが取得できなかった場合、コンテンツＩＤの示すコンテンツは未購入コンテンツであるので処理を終了する。
【００２４】
Ｓ２２で視聴ライセンスが取得できた場合、Ｓ２３に進む。ここで、コンテンツ再生制御部１１２はダウンロード時のカードＩＤを取得する。このカードＩＤはコンテンツ管理部１０７が管理しており、ダウンロードコンテンツに関連付けてメタデータとして蓄積部１１１に記憶されているコンテンツＩＤを参照することで取得できる。Ｓ２４にてコンテンツ再生制御部１１２は、前記Ｓ２３で取得したカードＩＤと、現時点で装置に挿入されているＢ−ＣＡＳカード１１５のカードＩＤとを比較し、両者が同一であるか否かを判定する。カードＩＤが同一でないと判定された場合、コンテンツ再生制御部１１２はダウンロードコンテンツの再生を行わずに処理を終了する。またカードＩＤが同一であると判定された場合、Ｓ２５に進み、デスクランブラ１０２は認証サーバ２００から取得したライセンス情報に基づくデータを用いてデスクランブル処理を行う。Ｓ２６にてデコーダ１０４は、コンテンツの映像と音声のデコード処理を行い、Ｓ２７で表示部１０５は、デコードされた映像音声を含むダウンロードコンテンツを再生する。
【００２５】
このようにコンテンツ管理部１０７は、ダウンロード時に挿入されたＢ−ＣＡＳカードのカードＩＤ（第１の識別情報）をコンテンツの識別情報に関連付けて記憶しておく。コンテンツ再生制御部１１２は、再生時に挿入されているＢ−ＣＡＳカードのカードＩＤ（第２の識別情報）を、ダウンロード時に挿入されていたＢ−ＣＡＳカードのカードＩＤと比較する。ダウンロード時と再生時とでカードＩＤが等しい場合には、視聴ライセンスを受けたコンテンツの再生が許可され、両者が相違する場合には、再生動作が禁止又は制限される。本実施形態では録画時と再生時とでカードＩＤが相違する場合、スクランブル処理が解除されないことによってコンテンツの再生が実質的に禁止される。再生動作の制限には、データの部分再生や警告メッセージ等の表示処理、不正視聴の防止に供する処理（使用履歴の記録や通報等）が含まれる。
【００２６】
以上のように本実施形態によれば、ダウンロードしたコンテンツとカードの識別情報を関連付けておき、ダウンロード時と再生時とで挿入されているカードの識別情報が異なる場合、ダウンロードコンテンツを再生できないように制御する。これによりＢ−ＣＡＳカードの持ち運びによる複数の放送受信装置での不正視聴を防ぐことが可能となり、Ｂ−ＣＡＳカードを所持する第三者は未購入のコンテンツを視聴できなくなる。
なお、本実施形態ではコンテンツＩＤ及びダウンロード時のカードＩＤをメタデータとは別に管理しているが、ダウンロードコンテンツのメタデータにコンテンツＩＤとダウンロード時のカードＩＤ情報を含めて管理する形態でもよい。
【符号の説明】
【００２７】
１００  放送受信装置
１０６  通信部
１０７  コンテンツ管理部
１１０  ＩＣカード制御部
１１１  蓄積部
１１２  コンテンツ再生制御部
１１５  Ｂ−ＣＡＳカード
２００  認証サーバ
【図１】
2011239054.tif 000003
【図２】
2011239054.tif 000004
【図３】
2011239054.tif 000005
【図４】
2011239054.tif 000006